(57)【要約】【課題】本発明は、パターン全体が均一に発光する発光表示装置を提供する。【解決手段】本発明の発光表示装置１００は、発光体５０を用いて文字、図柄等を適宜表示できるようにしてなる発光表示装置１００であって、複数の発光体５０と、前記発光体５０から照射される光を反射するための反射部材２５と、発光体５０の発光方向に発光される光を遮蔽するための遮蔽部材５１と、を備えるパターン５を有し、前記反射部材２５を介して反射される光のみによって前記パターン５が発光する。【選択図】      図２
2004151371.tif 000002
【特許請求の範囲】
【請求項１】
発光体を用いて文字、図柄等を適宜表示できるようにしてなる発光表示装置であって、
複数の発光体と、
前記発光体から発光される光を反射するための反射部材と、
を備えるパターンを有し、
前記反射部材を介して反射される光のみによって前記パターンが発光することを特徴とする発光表示装置。
【請求項２】
前記発光体は、前記発光体の発光方向に発光される光を遮蔽するための遮蔽部材を備えていることを特徴とする請求項１に記載の発光表示装置。
【請求項３】
前記発光体は、前記発光体から発光する光を拡散させるための部材を備えていることを特徴とする請求項１に記載の発光表示装置。
【請求項４】
前記反射部材の表面が、乱反射面であることを特徴とする請求項１に記載の発光表示装置。
【発明の詳細な説明】
【０００１】
【発明の属する技術分野】
本発明は、広告看板等における文字や図形等の表示のために用いられる表示装置に関する。
【０００２】
【従来の技術】
従来、広告や装飾等を目的とした表示装置として、電球や発光素子（発光ダイオード（ＬＥＤ））のような発光体を取り付けて構成した看板等が存在する。このような看板等は、複数の発光体を所定位置に配設し、所望の文字や図柄等を適宜表示している。その際、発光体の照射方向に看板前面が配置されるように発光体を配設している。
【０００３】
【発明が解決しようとする課題】
しかし、上記従来例に示す看板文字は、発光体の位置が鮮明に照射され、発光体の形状がわかってしまい、見栄えが悪いという問題点がある。
【０００４】
また、この看板文字は、文字や図形等のパターン部分の発光体の中心部が鮮明に光り、その周辺がぼやけるため、パターン全体を均一に照らすことができないという問題点がある。
【０００５】
また、パターン部分において、発光体から照射される光が届く部分と光が届かない部分が生じ、パターンの隅部が暗くなってしまい、１つのパターンとして外観よく照射できないという問題点がある。
【０００６】
本発明が解決しようとする課題には、上記した問題が一例として挙げられる。
【０００７】
そこで、本発明は、パターン全体が均一に発光する発光表示装置を提供することを目的とする。
【０００８】
【課題を解決するための手段】
以下、本発明について説明する。なお、本発明の理解を容易にするために添付図面の参照符号を括弧書きにて付記するが、それにより本発明が図示の形態に限定されるものではない。
【０００９】
本発明の発光表示装置（１００）は、発光体（５０）を用いて文字、図柄等を適宜表示できるようにしてなる発光表示装置であって、複数の発光体と、前記発光体から発光される光を反射するための反射部材（２５）と、を備えるパターン（５）を有し、前記反射部材を介して反射される光のみによって前記パターンが発光することを特徴とする。
【００１０】
この発明によれば、パターン全体に光を均一に行き届かせることができるので、パターン全体を均一に発光させることができる。
【００１１】
また、前記発光体は、前記発光体の発光方向に発光される光を遮蔽するための遮蔽部材（５１、５１ａ）を備えていることを特徴とする。
【００１２】
このようによれば、発光体から発光される光は直接外部に発光されないので、発光体の部分のみが鮮明に光ることがなくなる。
【００１３】
また、前記発光体は、前記発光体から発光する光を拡散させるための部材（７０）を備えていることを特徴とする。
【００１４】
このようにすれば、発光体から発光する光を反射部材（２５）に対して拡散させることができ、発光表示装置からの発光がより明るくなる。そのため、発光体のピッチを長くとっても従来の明るさを維持できる。これにより、発光体の数を減少できるので、コストダウンが図れる。
【００１５】
また、前記反射部材の表面が、乱反射面であることを特徴とする。
【００１６】
このようにすれば、発光体から発光する光が乱反射するので、パターン全体に光を行き届かせパターン全体を均一に光らせることができる。
【００１７】
【発明の実施の形態】
以下、図１〜図４を参照して、本発明による発光表示装置の実施形態について説明する。ただし、以下に示す実施例は、本発明の技術思想を具体化するための発光表示装置を例示するものであって、本実施形態に限定されるものではない。
【００１８】
図１は本発明の発光表示装置の外観図、図２は図１のＡ−Ａ断面図、図３は本発明の発光表示装置の内部構造を示し、図３（ａ）は図２のＢ拡大図、図３（ｂ）は他の実施形態における図２のＢ拡大図である。
【００１９】
図１に示す発光表示装置１００は、略四角形状の基台２と、その基台２上に載置される文字や図形等を表示するためのパターン５を有する看板本体１０と、を備える。また、看板本体１０の内部には、所定位置に複数の発光体５０、５０、・・・、５０を備える。また、基台２と看板本体１０とは、接着等により基台２上に固定されているが、ボルトナットのような固定部材により固定されてもよい。
【００２０】
また、パターン５とは、表示したい文字や図形（看板文字）をいう。本実施形態においては、例えば、アルファベットの「Ａ」を形成している。このパターン５は、図示しないが、複数の文字等を組み合わせて会社名等を広告として表示する。また、パターン５は、アルファベットや漢字のみだけでなく、記号や種々の模様、サービスマーク等を表示するようにしてもよい。複数のパターン５を有する看板本体１０を基台２上に配設することにより看板として形成される。また、パターン５は、看板本体１０に内蔵された複数の発光体５０が発光することにより看板文字として発光する。図２、図３（ａ）、図３（ｂ）の矢印は、パターンの発光方向を示す。
【００２１】
看板本体１０は、パターンを形成する枠組み２０と、発光体５０と、を備える。枠組み２０は、底板２１と、パターン５の文字枠に沿ってその底板２１の所定部から垂設され形成される側板２２と、を備える。底板２１や側板２２は、プラスチック、アクリル板等を用いて形成される。
【００２２】
また、枠組み２０内部の底板２１の上部、及び側板２２の壁面には、光を反射するための反射部材としての反射膜２５を備える。反射膜２５は、例えば、ステンレス等を使用してもよいし、塗料を底板２１又は／及び側板２２の内壁に塗って形成してもよい。また、反射膜２５は、塗料を塗って形成してもよい。また、反射膜２５は、微細な凹凸を設けて光を乱反射させるようにしてもよい。これにより、光を種々の方向に散乱させることができるので、その反射光によりパターン全体を均一に照射できる。
【００２３】
また、看板本体１０の内部には所定間隔に複数の発光体５０を備える。発光体５０とは、例えば、発光ダイオード（ＬＥＤ）である。発光体５０は、図２の矢印に示す照射方向に向かって発光するように備えられる。また、発光体５０は、先端から側方にかけて、光を遮蔽するための遮蔽部材としての遮蔽膜５１を備える。遮蔽膜５１は、直接、発光体５０にエナメル性水性塗料を塗って形成してもよいし、熱等により溶融しないゴム状の膜を被せてもよい。これにより、発光体５０から発光する光は、通常の発光方向と反対方向に光を発光させることができる。
【００２４】
また、発光体５０は、支持部材５５により支持される。支持部材５５は、底板２１と所定の間隔をおいて、並行に備えられる。また、支持部材５５の端部は、パターン５を形成する側板２２と接続され、支持される。また、支持部材５５は光を透過させるため透明な部材を使用する。部材は、例えば、アクリル板等である。また、図示しないが、発光体５０は、直接、接着剤等を使用して底板２１等に接着し、枠組み２０の所定位置に固定してもよい。
【００２５】
また、側板２２により仕切られるパターン５の枠組み２０内部は透明の樹脂等４０により封止され、その樹脂等４０の上部（側板２２により形成される開口部）には、所定の塗料を配合した樹脂等４０ａが封止される。また、この樹脂は、ウレタン性樹脂、エポキシ性樹脂、アクリル性樹脂等が使用される。
【００２６】
また、図３（ｂ）に示すように、側板２２により仕切られるパターン５の枠組み２０内部は空洞としてもよい。その場合は、側板２２により形成される開口部６０には、蓋４５が備えられる。蓋４５はアクリル板等を用いて形成される。また、看板文字を所定の色で発色させたい場合は、図示のように、蓋４５の上に所定の塗料を配合した樹脂等４０ａを設けるとよい。
【００２７】
また、パターン５の枠組み２０は、側板２２や底板２１の代わりに、透明の樹脂等４０を使用してもよい。また、所定の塗料を配合した樹脂等４０ａであっても構わない。これにより、多方に向けて発光することができる。
【００２８】
発光表示装置における発光体の動作について説明する。
【００２９】
発光体５０は、直接外部へ光を放出しないように遮蔽膜５１に覆われているため、発光体５０から発光される光は、図３の矢印に示すように、発光体５０の一部から漏れて底板２１や側板２２に向けて放出される。また、各発光体５０はそれぞれ電気的に接続され、発光制御される。
【００３０】
これにより、発光体５０が光を発光すると、反射膜２５に反射して、アクリル板や蓋等を透過して光を外部へ放出する。このように、光を直接外部へ放出せず、間接的に放出することにより、パターン全体に光が行き届くため、パターン全体を均一に発光できる。
【００３１】
以上に説明したように、本発明の発光体５０を用いて文字、図柄等を適宜表示できるようにしてなる発光表示装置１００は、複数の発光体５０と、前記発光体５０から発光される光を反射するための反射部材としての反射膜２５と、を備えるパターン５を有し、前記反射膜２５を介して反射される光のみによってパターン５が照射される。また、パターン発光方向に向けて発光体５０が備えられる場合には、この発光体５０は、発光方向に発光されるのを遮蔽するための遮蔽部材としての遮蔽膜５１を備えていてもよい。また、前記反射膜２５の表面は、乱反射面であってもよい。
【００３２】
この発光表示装置１００によれば、パターン５全体に発光体５０から発光される光が均一に行き渡るので、パターン５全体を均一に光らせることが可能である。
【００３３】
図４は他の実施形態における図２のＢ拡大図である。なお、図４において、図３（ａ）と共通する部分には同一符号を付し、それらの説明は省略する。
【００３４】
図示のように、発光体５０の下部には発光体５０から発光する光を拡散させるための光拡散部材７０を備える。この光拡散部材７０は、円形状の透明、又は乳白色部材である。また、この光拡散部材７０は、例えば、アクリル板等である。また、発光体５０、及び上記部材７０の上面には光を遮蔽するための遮蔽用塗料（例えば、エナメル性水性塗料等）を塗って遮蔽膜５１ａを形成している。このように遮蔽膜５１ａは発光体５０の発光方向に設けられる。
【００３５】
以上に説明したように、本発明の発光体５０を用いて文字、図柄等を適宜表示できるようにしてなる発光表示装置１００は、複数の発光体５０と、前記発光体の下部に備えられる光拡散部材７０と、前記発光体５０から発光する発光方向に光が発光されるのを遮蔽するための遮蔽膜５１ａと、前記発光体５０から発光される光を反射するための反射部材としての反射膜２５と、を備えるパターン５を有し、前記反射膜２５を介して反射される光のみによってパターン５が照射される。また、前記反射膜２５の表面は、乱反射面であってもよい。
【００３６】
これにより、発光体５０から発光する光は、図上矢印に示すように通常の発光方向と反対方向、及び発光体５０の下部に備えられている部材７０の外周方向に放射状に拡散されて発光される（反射膜２５に対して光を拡散できる）。そのため、図３（ａ）、（ｂ）に示す発光体５０の下部に部材７０を設けていない場合と比較して、発光表示装置１００から発光される光が明るく発光される。そのため、発光体５０のピッチ間を長くしても従来の明るさを維持できる。これにより、発光体５０の数を減らすことができ、コストを減少できる。
【００３７】
本発明は以上の実施形態に限定されることなく、種々の形態にて実施してよい。例えば、発光体５０の発光方向に設けられる遮蔽膜５１、５１ａは、発光体の全体に設けられるのではなく、少なくとも発光する光を直接外部へ放出しなければよいので、発光体５０の発光方向の一部に設けられていれば良い。
【図面の簡単な説明】
【図１】本発明の発光表示装置の外観図である。
【図２】図１のＡ−Ａ断面図である。
【図３】本発明の発光表示装置の内部構造を示し、図３（ａ）は図２のＢ拡大図、図３（ｂ）は他の実施形態における図２のＢ拡大図である。
【図４】本発明の他の実施形態における発光表示装置の図２のＢ拡大図である。
【符号の説明】
５  パターン
２５  反射膜（反射部材）
５０  発光体
５１、５１ａ  遮蔽膜（遮蔽部材）
７０  光拡散部材（部材）
１００  発光表示装置
【図１】
2004151371.tif 000003
【図２】
2004151371.tif 000004
【図３】
2004151371.tif 000005
【図４】
2004151371.tif 000006